(57)【特許請求の範囲】
【請求項１】
下端に掘削具を装着したケリーバをケリーバ回転駆動装置によって回転させながら掘削具を下降させて掘削作業を行うアースドリルにおける前記ケリーバ回転駆動装置のドライブ軸内に、小径ケリーバ用の中子を挿入して支持する中子支持構造において、前記ドライブ軸の上端面に、前記中子の上端部外周に設けた支持フランジを載置し、該支持フランジの上面にリング状の押さえブラケットを配置し、該押さえブラケットに設けたボルト挿通孔及び前記支持フランジに設けたボルト遊嵌孔を挿通した支持ボルトを前記ドライブ軸の上端面に設けた雌ねじ孔に螺着し、前記支持フランジをドライブ軸の上端面と押さえブラケットとの間に挟着するとともに、前記支持ボルトのボルト軸とボルト遊嵌孔との間の寸法を、ドライブ軸の内面に設けられたキー溝と中子の外面に設けられたキーとの遊び寸法より大きくボルト軸が移動可能な形状に形成したことを特徴とするアースドリルにおける中子支持構造。
【請求項２】
前記押さえブラケットの下面に、下端面が前記ドライブ軸の上端面に当接して前記支持ボルトの締付量を規制するスペーサが設けられていることを特徴とする請求項１記載のアースドリルにおける中子支持構造。
【請求項３】
前記押さえブラケットの上面にゴム製リング材を設けたことを特徴とする請求項１又は２記載のアースドリルにおける中子支持構造。 
【発明の詳細な説明】
【技術分野】
【０００１】
本発明は、アースドリルにおける中子支持構造に関し、詳しくは、ケリーバの軸線方向に突設したキーをケリーバ回転駆動装置のドライブ軸に形成したキー溝に係合させて回転力を伝達するアースドリルにおける中子支持構造に関する。
【背景技術】
【０００２】
アースドリルは、一般に、下端に掘削具を装着したケリーバをケリーバ回転駆動装置のドライブ軸で回転させながら地中に押し込んで掘削作業を行うもので、円筒状のドライブ軸に形成したキー溝に、ケリーバに突設したキーを係合させてケリーバ回転駆動装置からケリーバへ回転力を伝達するようにしている。キー溝の周方向開口幅は、キーの周方向幅より大きく形成され、ドライブ軸内へのケリーバの挿入を容易するための遊びを設けている（例えば、特許文献１参照。）。
【０００３】
また、通常のケリーバに代えて外径の小さなケリーバ（小径ケリーバ）を使用する際には、キーを形成した外面がドライブ軸の内径に対応し、キー溝を形成した内面が小径ケリーバの外径に対応した円筒状の中子をドライブ軸内に挿入し、中子内に小径ケリーバを挿入するようにしている。押込力及び回転力は、ドライブ軸から中子を介して小径ケリーバに伝達される。中子のキーの周方向幅も、前記同様に、ドライブ軸のキー溝の幅に比べて小さく形成され、遊びが設けられている。
【先行技術文献】
【特許文献】
【０００４】
【特許文献１】特開２００４−１１１９９号公報
【発明の概要】
【発明が解決しようとする課題】
【０００５】
前述のような中子をドライブ軸にボルトで直接支持すると、キーとキー溝とに遊びがあるため、ドライブ軸のキー溝から中子のキーに回転力が伝達される前に、ドライブ軸の回転力がボルトを介して中子に伝達される状態になることがある。このため、ボルトに剪断力が作用してボルトが破損するおそれがある。また、ドライブ軸上部に設けられているアッパバッファに中子をボルトで支持すると、アッパバッファ自体が破損するおそれがある。
【０００６】
そこで本発明は、ボルトの破損を防止しながら中子をドライブ軸内に確実に支持することができる中子支持構造を提供することを目的としている。
【課題を解決するための手段】
【０００７】
上記目的を達成するため、本発明のアースドリルにおける中子支持構造は、下端に掘削具を装着したケリーバをケリーバ回転駆動装置によって回転させながら掘削具を下降させて掘削作業を行うアースドリルにおける前記ケリーバ回転駆動装置のドライブ軸内に、小径ケリーバ用の中子を挿入して支持する中子支持構造において、前記ドライブ軸の上端面に、前記中子の上端部外周に設けた支持フランジを載置し、該支持フランジの上面にリング状の押さえブラケットを配置し、該押さえブラケットに設けたボルト挿通孔及び前記支持フランジに設けたボルト遊嵌孔を挿通した支持ボルトを前記ドライブ軸の上端面に設けた雌ねじ孔に螺着し、前記支持フランジをドライブ軸の上端面と押さえブラケットとの間に挟着するとともに、前記支持ボルトのボルト軸とボルト遊嵌孔との間の寸法を、ドライブ軸の内面に設けられたキー溝と中子の外面に設けられたキーとの遊び寸法より大きくボルト軸が移動可能な形状に形成したことを特徴としている。
【０００８】
さらに、本発明のアースドリルにおける中子支持構造は、前記押さえブラケットの下面に、下端面が前記ドライブ軸の上端面に当接して前記支持ボルトの締付量を規制するスペーサが設けられていること、また、前記押さえブラケットの上面にゴム製リング材を設けたことを特徴としている。
【発明の効果】
【０００９】
本発明のアースドリルにおける中子支持構造によれば、中子の支持フランジに設けたボルト遊嵌孔をキー溝とキーとの遊び寸法より大きく形成しているので、キー溝とキーとが係合して回転力を伝達する状態になるまで、ボルト遊嵌孔内を支持ボルトが移動することができ、支持ボルトに回転力が作用することがなく、支持ボルトの破損を防止できる。また、支持ボルトの締付量を規制することにより、ドライブ軸の上端面と押さえブラケットとの間で支持フランジを移動可能な状態で挟着することができ、中子を確実に回動させてキー溝とキーとを確実に当接させることができる。
【図面の簡単な説明】
【００１０】
【図１】本発明のアースドリルにおける中子支持構造の一形態例を示す断面図である。
【図２】要部の分解斜視図である。
【図３】要部の平面図である。
【図４】図３のＩＶ−ＩＶ断面図である。
【図５】図３のＶ−Ｖ断面図である。
【図６】図３のＶＩ−ＶＩ断面図である。
【図７】アースドリルの一例を示す側面図である。
【発明を実施するための形態】
【００１１】
まず、図７に示すように、アースドリルは、クローラクレーンからなるベースマシン１１に設けられたブーム１２の先端部からケリーバ１３を回転可能に吊持するとともに、ブーム１２の基部からシリンダ１４などでケリーバ回転駆動装置１５を支持し、該ケリーバ回転駆動装置１５に設けられている中空円筒状のドライブ軸内に挿通したケリーバ１３の下端部に掘削バケットや拡底バケット１６を装着している。
【００１２】
アースドリルによる縦穴の形成は、ケリーバ回転駆動装置１５でケリーバ１３を回転させることによって掘削バケットや拡底バケット１６を回転させながら掘削バケットや拡底バケット１６を地中に押し込んで掘削する工程と、掘削バケットや拡底バケット１６を引上げて掘削した土砂を排出する工程とを交互に繰り返すことによって行われる。
【００１３】
通常、ケリーバ回転駆動装置１５のドライブ軸とケリーバ１３とは、対応した形状を有するものが用いられるが、何らかの事情で通常使用するケリーバ１３より細いケリーバ（以下、小径ケリーバという。）を使用する際には、ドライブ軸内に小径ケリーバに対応した中子を挿入し、回転力や押込力を中子を介して小径ケリーバに伝達するようにしている。
【００１４】
図１乃至図６は、ロッキング式のドライブ軸内に中子を挿入して支持した一形態例を示している。ケリーバ回転駆動装置１５は、油圧モータ１７の回転を減速ギア１８を介してドライブ軸１９を回転駆動するもので、ドライブ軸１９は、中空円筒状に形成された内周面の周方向の３箇所に、上下方向に連続したキー溝２０が等間隔で設けられている。また、ドライブ軸１９の上端面には、中子取付用の支持ボルト２１を螺着するための雌ねじ孔２２が周方向の６箇所に設けられている。
【００１５】
ドライブ軸１９に中子２３を装着する際には、中子２３をドライブ軸１９内に支持するための押さえブラケット２４と制震用のゴム製リング材２５とを使用する。中子２３は、小径ケリーバ２６が挿通される中空円筒状の中子本体２３ａと、該中子本体２３ａの上端部外周に設けられた支持フランジ２３ｂとを有しており、中子本体２３ａの外周面には、前記キー溝２０に対応するキー２７が設けられ、中子本体２３ａの内周面には、小径ケリーバ２６の外周面に設けられているキー（以下、小径キーという）２８に対応したキー溝（以下、小径キー溝という）２９が周方向の３箇所に、等間隔で上下方向に連続して設けられている。
【００１６】
また、中子２３の前記キー２７の周方向寸法は、ドライブ軸１９の前記キー溝２０の周方向寸法より小さく形成し、キー溝２０とキー２７との間に遊びを設けることにより、ドライブ軸１９内への中子２３の挿入を容易に行えるようにしている。
【００１７】
前記支持フランジ２３ｂには、ドライブ軸１９の前記雌ねじ孔２２に対応した位置に、前記支持ボルト２１が移動可能な状態で挿通するボルト遊嵌孔３０が設けられている。このボルト遊嵌孔３０は、前記支持ボルト２１のボルト軸とボルト遊嵌孔３０の内面孔壁との間の寸法を、前記キー溝２０と前記キー２７との間に設定された遊び寸法より大きくボルト軸が移動可能に形成している。
【００１８】
押さえブラケット２４は、前記支持フランジ２３ｂをドライブ軸１９の上端面との間で挟着して中子２３をドライブ軸１９内に支持するためのもので、支持フランジ２３ｂと同程度の厚さを有するリング状に形成されている。この押さえブラケット２４には、前記雌ねじ孔２２及び前記ボルト遊嵌孔３０に対応した位置に支持ボルト挿通孔３１が６箇所に設けられるとともに、前記ゴム製リング材２５を固着するための固定ボルト３２が螺着する雌ねじ部３３が６箇所に設けられている。
【００１９】
また、押さえブラケット２４の下面には、前記支持ボルト２１の締付量を規制するスペーサ３４が周方向の３箇所に設けられるとともに、前記支持フランジ２３ｂの外周には、スペーサ３４が通過可能な切欠部３５が設けられている。このスペーサ３４は、支持フランジ２３ｂに押さえブラケット２４を重ねて支持ボルト２１を前記雌ねじ孔２２に締め付ける際に、スペーサ３４の下端面がドライブ軸１９の上端面に当接し、ドライブ軸１９の上端面と押さえブラケット２４との間で支持フランジ２３ｂが移動可能な状態の挟着力になるように支持ボルト２１の締付量を規制する。
【００２０】
押さえブラケット２４の上に固定ボルト３２でカラー３６を介して固着されるゴム製リング材２５は、施工時にドライブ軸１９、中子２３、押さえブラケット２４、小径ケリーバ２６の衝突や擦れなどによって発生する振動を抑えて周辺の騒音を低減するために設けられている。
【００２１】
ロッキング式の小径ケリーバ２６の外周面には、中子２３の前記小径キー溝２９より僅かに幅狭の押し込み部３７と、該押し込み部３７の上端におけるドライブ軸１９の回転方向前端部から上方に突設した前記小径キー２８とが設けられている。小径ケリーバ２６は、小径キー溝２９に押し込み部３７を挿通して中子２３の下方に通過した状態まで中子２３内に挿入される。この状態では、小径キー２８は、図３において、符号Ａで示すように、小径キー溝２９の回転方向前端部に位置している。
【００２２】
油圧モータ１７を掘削方向に作動させてドライブ軸１９を、図３において時計回りに回転させると、押し込み部３７が小径キー溝２９の下方から中子２３の下端面下方に移動するとともに、小径キー２８は、図３において、符号Ｂで示すように、小径キー溝２９の回転方向後端部に移動する。これにより、中子２３の下面と押し込み部３７の上端面とが係合して押込力が伝達され、小径キー２８と小径キー溝２９の回転方向後端部とが係合して回転力が伝達される。これにより、ドライブ軸１９の押込力と回転力とが中子２３から小径ケリーバ２６に伝達されて所定の掘削作業が行われる。
【００２３】
このとき、小径ケリーバ２６の押込力は、中子２３の支持フランジ２３ｂを介して押さえブラケット２４から支持ボルト２１に軸方向の引抜力として作用するので、支持ボルト２１が十分に耐えることができる。一方、小径ケリーバ２６の回転力は、キー溝２０とキー２７との係合、小径キー溝２９と小径キー２８との係合により、ドライブ軸１９から中子２３を介して小径ケリーバ２６に伝達される。
【００２４】
このとき、支持フランジ２３ｂに設けた支持ボルト２１の挿通孔が、従来の一般的なボルト挿通孔に比べて大きく、キー溝２０とキー２７との間に設定されている遊び寸法より大きくボルト軸が移動可能な形状のボルト遊嵌孔３０となっているので、ドライブ軸１９の回転開始とともに支持ボルト２１が回転方向に移動したときに、ボルト軸がボルト遊嵌孔３０の孔壁に当接する前にキー溝２０とキー２７とが係合することになる。したがって、キー溝２０とキー２７との係合によってドライブ軸１９から中子２３に回転力が伝達されるので、支持ボルト２１に回転力が作用することがなくなり、支持ボルト２１に大きな剪断力が作用して破損するおそれがなくなる。
【００２５】
さらに、スペーサ３４を設けることにより、中子２３の支持フランジ２３ｂを回転可能な状態で支持ボルト２１を強い力で締め付けることができるので、小径ケリーバ２６の押込力に対して十分な引抜力を確保することができる。また、押さえブラケット２４の上にゴム製リング材２５を設けることにより、小径ケリーバ２６がケリーバ回転駆動装置１５に金属同士で衝突することを防止するクッションとして作用する。
【００２６】
なお、スペーサに代えて段付ボルトやカラーなどを用いて支持ボルトの締付量を規制することも可能であり、ボルト遊嵌孔の形状は、支持フランジの曲率に対応した円弧状であってもよい。
【符号の説明】
【００２７】
１１…ベースマシン、１２…ブーム、１３…ケリーバ、１４…シリンダ、１５…ケリーバ回転駆動装置、１６…拡底バケット、１７…油圧モータ、１８…減速ギア、１９…ドライブ軸、２０…キー溝、２１…支持ボルト、２２…雌ねじ孔、２３…中子、２３ａ…中子本体、２３ｂ…支持フランジ、２４…押さえブラケット、２５…ゴム製リング材、２６…小径ケリーバ、２７…キー、２８…小径キー、２９…小径キー溝、３０…ボルト遊嵌孔、３１…ボルト挿通孔、３２…固定ボルト、３３…雌ねじ部、３４…スペーサ、３５…切欠部、３６…カラー、３７…押し込み部 
【図１】
0006452511.tif 000002
【図２】
0006452511.tif 000003
【図３】
0006452511.tif 000004
【図４】
0006452511.tif 000005
【図５】
0006452511.tif 000006
【図６】
0006452511.tif 000007
【図７】
0006452511.tif 000008